(57)【要約】      （修正有）【課題】自立、保形性のあるポスターを得ること。【解決手段】ベース板１の表面に人物写真１１及び文字１３をシルク印刷したことを特徴とする選挙用ポスター、又はベース板の表面に候補者を含む複数の人物写真及び文字をシルク印刷したことを特徴とする選挙用ポスター。【選択図】図３
0003103262.tif 000002
【実用新案登録請求の範囲】
【請求項１】
ベース板の表面に人物写真及び文字をシルク印刷したことを特徴とする選挙用ポスター。
【請求項２】
ベース板の表面に候補者を含む複数の人物写真及び文字をシルク印刷したことを特徴とする選挙用ポスター。
【請求項３】
ベース板を表面処理し、その上に複数の人物写真及び文字をシルク印刷したことを特徴とする選挙用ポスター。
【請求項４】
化成品板、ＳＰ板、アルミ複合板又はベニヤ板よりなるベース板の表面に、単数又は複数の人物写真と文字と証紙貼付位置をシルク印刷したことを特徴とする選挙用ポスター。
【請求項５】
合成樹脂シート上に単数又は複数の人物写真と文字を印刷した印刷シートを、ベース板に貼着したことを特徴とする選挙用ポスター。
【考案の詳細な説明】
【技術分野】
【０００１】
この考案は、各種選挙の際に用いるポスターの展示、貼着、施工などを簡易化することを目的とした選挙用ポスターに関する。
【背景技術】
【０００２】
衆参議員選挙及び統一地方選挙等のポスター掲示は、立候補者は定められたポスター掲示場に掲示しなければならない。また参議員選比例区では、選挙区候補者と異なり公営ポスター掲示場の使用がないため、独自の掲示場所及び掲示方法を考えなければならなかった（政党用ポスターも同様）。
【０００３】
従来、屋外におけるポスターの掲出では、台紙となるボードに、紙製ポスターを貼り、それを支柱等に打ち付ける施工、及び針金等で、フェンス工作物に取り付ける施工を行なうこととされていたので、多大の労力、時間、費用が掛かり、候補者はもとより選挙実施者の選挙費用高騰の最大原因となっていた。
【特許文献１】特開２００２−１８７３４０
【考案の開示】
【考案が解決しようとする課題】
【０００４】
前記のように、従来の選挙用ポスターは自立性がない為に、公営の掲示場はもとより、候補者自ら掲示する場合にも、貼着、展示、掲示等に多大の工作物を施工する必要があったので、往々印刷費に匹敵する施工費（設置材料費、撤去の人件費）が必要になる問題点があった。
【０００５】
また証紙の貼付が義務付けられている場合には、その添付労力は勿論、添付の有無の確認にも多大の労力を必要とする問題点があった。
【課題を解決するための手段】
【０００６】
この考案は、ベース板へ直接シルク印刷したり、印刷したシートをベース板へ貼着することにより、前記従来の問題点を解決したのである。
【０００７】
即ちこの考案は、ベース板の表面に人物写真及び文字をシルク印刷したことを特徴とする選挙用ポスターであり、ベース板の表面に候補者を含む複数の人物写真及び文字をシルク印刷したことを特徴とする選挙用ポスターである。
【０００８】
また他の考案は、ベース板を表面処理し、その上に複数の人物写真及び文字をシルク印刷したことを特徴とする選挙用ポスターであり、化成品板、ＳＰ板、アルミ複合板又はベニヤ板よりなるベース板の表面に、単数又は複数の人物写真と文字と証紙貼付位置をシルク印刷したことを特徴とする選挙用ポスターである。
【０００９】
更に、合成樹脂シート上に単数又は複数の人物写真と文字を印刷した印刷シートを、ベース板に貼着したものである。
【００１０】
前記におけるＳＰ板とは、再生紙合板又はリサイクルボードをいう。
【００１１】
前記考案は、選挙用ポスターであるけれども、必ずしも選挙用専用でなくとも、類似使用のポスターであって、同一構成ならば権利が及ぶものである。
【００１２】
前記考案においては、印刷面の上部について特に記載はないが、合成樹脂液を塗布したり、フィルムをラミネートしたりして、表面処理することは、従来用いられている技術であって、必要に応じ採用するものである。
【考案の効果】
【００１３】
この考案は、ベース板へ直接シルク印刷し、又はベース板へ印刷済のシートを貼着するので、ポスターに自立性があり、展示に際し、特別の支持ベースを作る必要なく、例えば、支柱へそのまま固定したり、壁又は建築物の一部、或いは展示枠など、堅固に展示し得る効果がある。
【００１４】
この考案は、シルク印刷であるが、その精度はオフセット印刷と何等遜色はなく、むしろ耐候性が強く、退色も遅いので、長時間屋外掲出に最適である。
【考案を実施するための最良の形態】
【００１５】
この考案は、ベース板の表面に人物写真及び文字（文章）をシルク印刷した選挙用ポスターである。
【００１６】
前記人物は候補者の場合と、党の代表者又は支援者と候補者の場合があり、顔写真、半身写真、全身写真を問わない。
【００１７】
前記文字とは、当然マニフェストその他選挙する人（有権者）に訴える事項を記載する。また講演会の場合には場所を図示したり、主要活動目標の説明として図解することもある。
【００１８】
この考案のポスターを固定するには、予め上辺に３ヶ所、下辺に３ヶ所の取り付け孔を設け、この取り付け孔を使って支柱に釘打ちし、またフェンスなどに細線や、番線を用いて縛りつける場合もある。
【実施例１】
【００１９】
この考案の実施例を図１、３について説明すると、ダンボールプラスチック、リサイクルボード又は再生紙合板などよりなるベース板１（例えば、縦４２０ｍｍ×横３００ｍｍ）の表面へ合成樹脂フィルム２をラミネートし、合成樹脂フィルム２の上部へ印刷層３を設け、印刷層３上へ合成樹脂フィルム４により表面処理して、ポスター５を得た（図１、図３（ａ）、（ｂ））。図中９は釘孔、１０は証紙位置、１１は人物写真、１２は図形、１３は文字である。
【実施例２】
【００２０】
この考案の実施例を図２、３について説明すると、合成樹脂シート６ａの表面に印刷層３を設け、その上面に合成樹脂フィルム８を被着して表面処理し、印刷シート６とし、この印刷シート６をベース板１上へ糊層７を介して貼着して、この考案のポスター５ａを製造した。図中９、９は釘孔、１０は証紙位置、１１は人物写真、１２は図形、１３は文字である。
【図面の簡単な説明】
【００２１】
【図１】この考案の実施例のブロック図。
【図２】同じく他の実施例のブロック図。
【図３】（ａ）同じくこの考案の実施ポスターの平面図、（ｂ）同じく一部を省略した断面拡大図、（ｃ）同じく一部を省略した断面拡大図。
【符号の説明】
【００２２】
１  ベース板
２、４  合成樹脂フィルム
３  印刷層
５、５ａ  ポスター
６  印刷シート
７  糊層
【図１】
0003103262.tif 000003
【図２】
0003103262.tif 000004
【図３】
0003103262.tif 000005
【手続補正書】
【提出日】平成16年3月31日(2004.3.31)
【手続補正１】
【補正対象書類名】実用新案登録請求の範囲
【補正対象項目名】全文
【補正方法】変更
【補正の内容】
【実用新案登録請求の範囲】
【請求項１】
化成品板、ＳＰ板、アルミ複合板又はベニヤ板よりなるベース板の表面に人物写真及び文字をシルク印刷したことを特徴とする選挙用ポスター。
【請求項２】
化成品板、ＳＰ板、アルミ複合板又はベニヤ板よりなるベース板の表面に候補者を含む複数の人物写真及び文字をシルク印刷したことを特徴とする選挙用ポスター。
【請求項３】
化成品板、ＳＰ板、アルミ複合板又はベニヤ板よりなるベース板を表面処理し、その上に複数の人物写真及び文字をシルク印刷したことを特徴とする選挙用ポスター。
【請求項４】
化成品板、ＳＰ板、アルミ複合板又はベニヤ板よりなるベース板の表面に、単数又は複数の人物写真と文字と証紙貼付位置をシルク印刷したことを特徴とする選挙用ポスター。
【請求項５】
合成樹脂シート上に単数又は複数の人物写真と文字を印刷した印刷シートを、ベース板に貼着したことを特徴とする選挙用ポスター。